(57)【要約】【課題】従来の技術を用いて電子写真方式で印刷媒体に潜像を形成すると、摩損体で摺動する前に潜像が視認される恐れがあるという課題があった。【解決手段】前記潜像を形成するための画像データである潜像画像データを入力する画像入力手段と、前記画像入力手段により入力された前記潜像画像データが顕在化される前記印刷媒体上の領域である第一の領域に形成されるトナー画像と、前記印刷媒体上の前記第一の領域を除く領域である第二の領域に形成されるトナー画像の色度値の差が最小となるように、前記第一の領域に形成されるトナー画像の画像形成条件を決定する画像形成条件決定手段と、前記画像形成条件決定手段により決定された前記画像形成条件で前記印刷媒体に前記潜像を形成する画像形成手段と、を有することを特徴とする画像形成装置。【選択図】図５
2012189975.tif 000002
【特許請求の範囲】
【請求項１】
印刷媒体に潜像を形成する画像形成装置であって、
前記潜像を形成するための画像データである潜像画像データを入力する画像入力手段と、
前記画像入力手段により入力された前記潜像画像データが顕在化される前記印刷媒体上
の領域である第一の領域に形成されるトナー画像と、前記印刷媒体上の前記第一の領域を
除く領域である第二の領域に形成されるトナー画像の色度値の差が最小となるように、前
記第一の領域に形成されるトナー画像の画像形成条件を決定する画像形成条件決定手段と
、
前記画像形成条件決定手段により決定された前記画像形成条件で前記印刷媒体に前記潜
像を形成する画像形成手段と、
を有することを特徴とする画像形成装置。
【請求項２】
トナー画像の画像形成条件と、該画像形成条件で形成したトナー画像の色度値を対応付
けて記憶している第一の記憶手段を備え、
前記画像形成条件決定手段は、前記第二の領域に形成するトナー画像の色度値に最も近
い前記第一の記憶手段に記憶している色度値を導出し、導出した該色度値を検索条件とし
て前記第一の記憶手段に対して対応する画像形成条件を検索し、該検索された画像形成条
件を前記第一の領域に形成するトナー画像の画像形成条件として決定することを特徴とす
る請求項１に記載の画像形成装置。
【請求項３】
前記第二の領域に形成するトナー画像の色を入力する色入力手段と、
前記色入力手段により入力された前記色と、該色に対応するトナー画像と透明トナーの
トナー画像を重ねたトナー画像の色度値を対応付けて記憶する第二の記憶手段と、
前記色入力手段により入力された前記色に対応するトナー画像の画像形成条件と、該画
像形成条件で形成したトナー画像の色度値を対応付けて記憶する第三の記憶手段を備え、
前記画像形成条件決定手段は、前記第二の記憶手段に記憶されている色度値に最も近い
前記第三の記憶手段に記憶している色度値を導出し、導出した該色度値を検索条件として
前記第三の記憶手段に対して対応する画像形成条件を検索し、該検索された画像形成条件
を前記第一の領域に形成するトナー画像の画像形成条件として決定することを特徴とする
請求項１に記載の画像形成装置。
【請求項４】
前記第二の領域に形成するトナー画像は透明トナー画像と前記色入力手段で入力した前
記色に対応する有色トナー画像を重ねたトナー画像であり、前記第一の領域に形成するト
ナー画像は前記色入力手段で入力した前記色に対応する有色トナー画像であることを特徴
とする請求項３に記載の画像形成装置。
【請求項５】
印刷媒体に潜像を形成する画像形成装置であって、
前記潜像を形成するための画像データである潜像画像データを入力する画像入力手段と、
前記画像入力手段により入力された前記潜像画像データが顕在化される前記印刷媒体の領域である第一の領域に形成されるトナー画像と、前記印刷媒体上の前記第一の領域を除く領域である第二の領域に形成されるトナー画像の色度値の差が最小となるような前記第一の領域に形成されるトナー画像の画像形成条件を記憶する画像形成条件記憶手段と、
前記画像形成条件記憶手段に記憶された画像形成条件で前記印刷媒体に前記潜像を形成
する画像形成手段と、
を有することを特徴とする画像形成装置。
【請求項６】
前記第一の領域に形成するトナー画像は有色トナー画像であり、前記第二の領域に形成
するトナー画像は透明トナー画像であることを特徴とする請求項１、請求項２、請求項５
のいずれか一項に記載の画像形成装置。
【請求項７】
前記画像形成条件記憶手段に記憶されている前記第一の領域に形成するトナー画像の画
像形成条件は、前記画像入力手段により入力された前記潜像画像データの濃度を有するト
ナー画像を前記印刷媒体上に形成するための画像形成条件であることを特徴とする請求項
５に記載の画像形成装置。
【請求項８】
前記画像形成条件は、前記画像入力手段により入力された前記潜像画像データの一画素
よりも微小な微画素の一画素当たりの総数に対して、一画素当たりトナーが付着される微
画素の数の割合であることを特徴とする請求項１から請求項７のいずれか一項に記載の画
像形成装置。
【請求項９】
印刷媒体に潜像を形成する画像形成装置が実行する画像形成方法であって、
前記潜像を形成するための画像データである潜像画像データを入力する画像入力ステップと、
前記画像入力ステップにより入力された前記潜像画像データが顕在化される前記印刷媒
体上の領域である第一の領域に形成されるトナー画像と、前記印刷媒体上の前記第一の領
域を除く領域である第二の領域に形成されるトナー画像の色度値の差が最小となるように
、前記第一の領域に形成されるトナー画像の画像形成条件を決定する画像形成条件決定ス
テップと、
前記画像形成条件決定ステップにより決定された前記画像形成条件で前記印刷媒体に前
記潜像を形成する画像形成ステップと、
を有することを特徴とする画像形成方法。
【請求項１０】
請求項９に記載の画像形成方法を、コンピュータに実行させるための画像形成プログラ
ム。
【発明の詳細な説明】
【技術分野】
【０００１】
本発明は、電子写真画像形成装置における特殊印刷に係る発明であって、隠し絵の潜像
を形成する画像形成装置、画像形成方法、画像形成プログラムに関するものである。
【背景技術】
【０００２】
紙などの支持体に無色透明なトナー画像が形成された状態では情報を目で見ることができないが、鉛筆、硬貨等でトナー画像を擦ると隠れた情報が見えるような、電子写真方式の画像形成装置用の特殊な無色透明なトナーがある（特許文献１参照）。
【０００３】
特許文献１に記載の無色透明トナーは、硬質剤（例えば、イリジウム、ケイ素、クロム、ホウ素などの金属）を含む。この硬質剤を含む無色透明トナーを用いて支持体に画像を形成すると、無色透明な画像が形成される。画像が形成された状態では、前記無色透明画像は目視困難な潜在化された状態となっている。そこで、前記無色透明画像上で支持体とは異なる色で、かつ前記無色透明トナーに含まれる硬質剤の硬度以下の摩損体（例えば、鉛筆、硬貨など）を摺動すると、摩損体の一部が硬質剤により削り取られて、摩損体の一部が前記無色透明トナーに付着される。これにより、潜在化されていた前記無色透明画像は着色されて顕在化される。
【発明の概要】
【発明が解決しようとする課題】
【０００４】
しかし、特許文献１に係る硬質材を含む無色透明トナーで作製された無色透明画像は表面に凹凸を有している。従って、無色透明トナーを用いても、無色透明画像が形成される部位と形成されない部位とで光沢および反射の程度が異なるため、無色透明画像が摩損体で摺動する前に視認される恐れがあるという課題があった。
【課題を解決するための手段】
【０００５】
請求項１に係る発明は、印刷媒体に潜像を形成する画像形成装置であって、前記潜像を形成するための画像データである潜像画像データを入力する画像入力手段と、前記画像入力手段により入力された前記潜像画像データが顕在化される前記印刷媒体上の領域である第一の領域に形成されるトナー画像と、前記印刷媒体上の前記第一の領域を除く領域である第二の領域に形成されるトナー画像の色度値の差が最小となるように、前記第一の領域に形成されるトナー画像の画像形成条件を決定する画像形成条件決定手段と、前記画像形成条件決定手段により決定された前記画像形成条件で前記印刷媒体に前記潜像を形成する画像形成手段と、を有することを特徴とする画像形成装置である。
【発明の効果】
【０００６】
本発明によれば、電子写真方式の画像形成装置において、印刷媒体に形成した潜像が顕在化される前に視認されることがないという効果が得られる。
【図面の簡単な説明】
【０００７】
【図１】図１は、本発明の一実施形態に係るＭＦＰの主要部のハードウェア構成図である。
【図２】図２は、本発明の一実施形態に係るＭＦＰの概略構成を示す断面図である。
【図３】図３は、画素と微画素の関係を表した概念図である。
【図４】図４は、網点面積率の例を示した概念図である。
【図５】図５は、潜像画像データと潜像の例を示した図である。
【図６】図６は、Ｌ＊ａ＊ｂ＊で表す色の表示空間を示す図である。
【図７】図７は、第一の実施形態のＭＦＰの機能構成のブロック図である。
【図８】図８は、カラーテーブルＡの集合，カラーテーブルＢを示す概念図である。
【図９】図９は、反射型光学センサを利用した印刷媒体の種類を特定する手段を示した概念図である。
【図１０】図１０は、印刷媒体の種類を選択する表示画面の概念図である。
【図１１】図１１は、第一の実施形態に係るＭＦＰが印刷媒体に潜像を形成するまでの処理のフローチャートである。
【図１２】図１２は、第一の実施形態において、隠し絵を描くための描画ウィンドウを示した概念図である。
【図１３】図１３は、Ｋ色トナーの網点面積率を変化させた際の、網点面積率とトナー画像の明度の関係を表した図である。
【図１４】図１４は、潜像画像データにおける顕在化される部分と顕在化されない部分の一部を網点面積率で表している図である。
【図１５】図１５は、第二の実施形態のＭＦＰの機能構成のブロック図である。
【図１６】図１６は、第二の実施形態のＭＦＰが印刷媒体に潜像を形成する処理を示すフローチャートである。
【図１７】図１７は、第三の実施形態のＭＦＰの機能構成のブロック図である。
【図１８】図１８は、カラーテーブルＣの集合を示す図である。
【図１９】図１９は、カラーテーブルＤを表す図である。
【図２０】図２０は、第三の実施形態のＭＦＰが潜像を印刷媒体に形成する処理を示すフローチャートである。
【図２１】図２１は、第三の実施形態において、隠し絵を描くための描画ウィンドウを示した概念図である。
【図２２】図２２は、Ｍ色トナー画像の網点面積率と色度値が対応付けられたテーブルである。
【図２３】図２３は、第四の実施形態のＭＦＰの機能構成のブロック図である。
【図２４】図２４は、明度差最小条件テーブルを表した図である。
【図２５】図２５は、第四の実施形態のＭＦＰが潜像を印刷媒体に形成する処理を示すフローチャートである。
【図２６】図２６は、図５（ａ）の潜像画像データに濃淡を設定した潜像画像データである。
【図２７】図２７は、第四の実施形態において、隠し絵を描くための描画ウィンドウを示した概念図である。
【発明を実施するための形態】
【０００８】
＜＜＜第一の実施形態＞＞＞
以下、図１乃至図１４を用いて、本発明の第一の実施形態について説明する。
【０００９】
＜＜ハードウェア構成＞＞
まず、本実施形態のハードウェア構成について説明する。図１は画像形成装置の一例で
あるＭＦＰ１００（Ｍｕｌｔｉｆｕｎｃｔｉｏｎ  Ｐｅｒｉｐｈｅｒａｌ）の主要部のハ
ードウェア構成図である。本実施形態のＭＦＰ１００は少なくともコントローラ部、プリ
ンタ部を含んで構成されている。
【００１０】
＜コントローラ部＞
図１のＭＦＰ１００の主要部のハードウェアは、ＣＰＵ１０１（Ｃｅｎｔｒａｌ  Ｐｒｏｃｅｓｓｉｎｇ  Ｕｎｉｔ）、ＲＡＭ１０２（Ｒａｎｄｏｍ  Ａｃｃｅｓｓ  Ｍｅｍｏｒｙ）、ＲＯＭ１０３（Ｒｅａｄ  Ｏｎｌｙ  Ｍｅｍｏｒｙ）、ＨＤＤ１０４（Ｈａｒｄ  Ｄｉｓｋ  Ｄｒｉｖｅ）、ＨＤ１０５（Ｈａｒｄ  Ｄｉｓｋ）、バス１０６、ネットワークコントローラ１０７、プリンタコントローラ１０８、スキャナコントローラ１０９、Ｉ／Ｏコントローラ１１０、操作パネル１１１、ネットワークＩ／Ｆ１１２、プリンタ部１１３、スキャナ部１１４、ＵＳＢ／ＩＦ１１５を含んで構成され、ネットワークや外部のＰＣ（Ｐｅｒｓｏｎａｌ  Ｃｏｍｐｕｔｅｒ）と接続することができる。
【００１１】
コントローラ部は、ＣＰＵ１０１、ＲＡＭ１０２、ＲＯＭ１０３、ＨＤＤ１０４、ＨＤ
１０５、バス１０６、ネットワークコントローラ１０７、プリンタコントローラ１０８、
スキャナコントローラ１０９、Ｉ／Ｏコントローラ１１０を有している。
【００１２】
ＣＰＵ１０１はＲＯＭ１０３に保存されているプログラムをレジストリに展開して実行
する。ＲＡＭ１０２はＣＰＵ１０１がプログラムを実行する際に必要となる作業領域とし
て使用される。ＨＤ１０５はデータを記憶する記憶装置であり、主にＭＦＰ１００の内部
で保持される画像データを格納する。なお、記憶装置としてはＣＤ−ＲＯＭ（Ｃｏｍｐａ
ｃｔ  Ｄｉｓｃ  Ｒｅａｄ  Ｏｎｌｙ  Ｍｅｍｏｒｙ）、ＣＤ−Ｒ（Ｃｏｍｐａｃｔ  Ｄ
ｉｓｃ  Ｒｅｃｏｒｄａｂｌｅ）、ＤＶＤ（Ｄｉｇｉｔａｌ  Ｖｅｒｓａｔｉｌｅ  Ｄｉ
ｓｋ）にも代替可能である。ＨＤＤ１０４はＣＰＵ１０１の制御によりＨＤ１０５に対し
てデータの読み出し、書き出し制御を行う。ネットワークコントローラ１０７はネットワ
ークＩ／Ｆ１１２を介して受信した多値の信号を復調し、ＣＰＵ１０１に送信する。これ
によりＭＦＰ１００はネットワークを介してＰＣと通信することができる。プリンタコン
トローラ１０８はプリンタ部１１３に対して、外部から入力されたイメージデータを印刷
媒体に画像形成するように制御を行う。スキャナコントローラ１０９は原稿読み取り指示
を受け、原稿台下部にあるイメージセンサを走査させ、原稿台にセットされた原稿のイメ
ージデータを取得する。本実施形態では、潜像として機能させたい隠し絵が描かれた原稿
をスキャナ部１１４で原稿読み取りを行い、隠し絵のイメージデータを取得する。
【００１３】
ここで、潜像とはある行為、操作を行うことによって初めて視覚的に認識可能な画像として出現する画像のことであり、通常の状態では目視により確認できない画像である。また、潜像を形成するための画像データである潜像画像データとは、前記スキャナ部１１４で原稿読み取りを行った隠し絵のイメージデータ、ＰＣや操作パネル１１１上で作成したイメージデータに限らない。例えば、潜像画像データは文書をＰＣ上で作成したテキストデータをも含み、ＭＦＰ１００に記憶された隠し絵のイメージデータや、テキストデータを指し示すコードであってもよい。前記潜像画像データとして入力された対象がコードの場合は、ＭＦＰ１００内の記憶部でコードと対応付けられているイメージデータまたはテキストデータが潜像画像データとなる。
【００１４】
Ｉ／Ｏコントローラ１１０はＵＳＢ／ＩＦ１１５を介してＰＣと通信を行う。またＩ／Ｏコントローラ１１０は操作パネル１１１に接続されている。ＣＰＵ１０１はユーザが操作パネル１１１によって入力した情報をＩ／Ｏコントローラ１１０を介して取得することができる。本実施形態では、ＰＣや操作パネル１１１で隠し絵をユーザが作成し、作成された隠し絵の潜像画像データをＩ／Ｏコントローラ１１０を介してＣＰＵ１０１が取得することができる。
【００１５】
＜プリンタ部＞
図２は本発明による一実施形態のＭＦＰの概略構成を示す断面図である。以下に図２を
用いて本実施形態のＭＦＰ１００のプリンタ部について説明する。
【００１６】
本実施形態のＭＦＰ１００は有色トナーと透明トナーによって印刷媒体上に画像を形成
し、定着する５連タンデム方式のフルカラー電子写真記録装置である。ここで、透明トナーとは、色材を含まないトナーのことである。例えば、低分子量のポリエステル樹脂にＳｉＯ２(二酸化ケイ素)やＴｉＯ２（二酸化チタン）を外添したものである。プリンタ部１１３は搬送部、作像部、転写部、定着部を含んで構成されている。以下に搬送部、作像部、転写部、定着部の説明を行う。
【００１７】
（搬送部）
搬送部はカセット２０２、ピックアップローラ２０３、搬送ローラ対２０４、レジスト
ローラ対２０５、搬送ベルト２０７を含んで構成されている。カセット２０２にセットされた印刷媒体はピックアップローラ２０３により１枚ずつ搬送ローラ対２０４に送り出される。搬送ローラ２０４によって搬送ベルト２０７に搬送された印刷媒体は停止しているレジストローラ対２０５に突き当たる。このように突き当たった印刷媒体は、レジストローラ対２０５が後述する転写部と同期して二次転写装置２０８に搬送される。
【００１８】
（作像部）
本実施形態のＭＦＰ１００では透明トナー像を形成する画像形成ステーションＴ、イエロートナー像を形成する画像ステーションＹ、マゼンタトナー像を形成する画像ステー
ションＭ、シアントナー像を形成する画像ステーションＣ、及びブラックトナー像を形成する画像ステーションＫを含んで作像部を形成している。
【００１９】
画像ステーションＴは、感光体ドラム１Ｔ、帯電器２Ｔ、現像器３Ｔ、露光器４Ｔを含んで構成されている。画像ステーションＹは、感光体ドラム１Ｙ、帯電器２Ｙ、現像器３Ｙ、露光器４Ｙを含んで構成されている。画像ステーションＭは、感光体ドラム１Ｍ、帯電器２Ｍ、現像器３Ｍ、露光器４Ｍを含んで構成されている。画像ステーションＣは、感光体ドラム１Ｃ、帯電器２Ｃ、現像器３Ｃ、露光器４Ｃを含んで構成されている。画像ステーションＫは、感光体ドラム１Ｋ、帯電器２Ｋ、現像器３Ｋ、露光器４Ｋを含んで構成されている。
【００２０】
感光体ドラム１Ｔ、１Ｙ、１Ｍ、１Ｃ、１Ｋはドラム形状の像担持体であり、回転自在に装置に軸支えされている。感光体ドラム１Ｔ、１Ｙ、１Ｍ、１Ｃ、１Ｋの周囲には、帯電手段の帯電器２Ｔ、２Ｙ、２Ｍ、２Ｃ、２Ｋ、現像手段の現像器３Ｔ、３Ｙ、３Ｍ、３Ｃ、３Ｋ、露光手段の露光器４Ｔ、４Ｙ、４Ｍ、４Ｃ、４Ｋが配置されている。
【００２１】
後述する中間転写ベルト２０６の表面移動方向上流側から、画像ステーションＴ、画像ステーションＹ、画像ステーションＭ、画像ステーションＣ、画像ステーションＫが略水平に並設されている。後述するように、転写部では、透明トナー像、イエロートナー像、マゼンタトナー像、シアントナー像、ブラックトナー像の順に中間転写ベルト２０６に一次転写される。ここでは、最初に一次転写される透明トナー像を感光体ドラム１Ｔに形成する画像ステーションＴの作像処理について説明をする。
【００２２】
感光体ドラム１Ｔは帯電器２Ｔにより表面を一様な電位に帯電されている。続いて透明
トナー像を形成するための画像信号がプリンタコントローラ１０８から露光器４Ｔに入力される。露光器４Ｔは入力された画像信号に応じて、感光体ドラム１Ｔの表面にレーザビームを照射する。これにより感光体ドラム１Ｔの表面の電荷が中和され、感光体ドラム１Ｔの表面に静電像が形成される。
【００２３】
本実施形態が感光体ドラム１Ｔの表面に静電像を形成する処理について詳細に説明する。本実施形態では階調表現によりトナー像を形成する。階調表現を行う際の露光手段の動作について図３、図４を用いて説明する。図３は画素と後述する微画素の関係を表した概念図であり、図４は後述する網点面積率の例を示した概念図である。
【００２４】
階調表現には面積階調制御が行われ、図３で示すように入力された画像の画素３０１を
さらに細かい微画素３０２として扱う。面積階調制御は、網点面積率を調整することによ
り行う。網点面積率とは、１画素３０１に含まれる微画素３０２の総数に対してトナーが
付着された微画素３０２（網点という）の数の割合である面積率である。
【００２５】
例えば、入力された潜像画像データの解像度が６００ｄｐｉであり、露光器４Ｔが解像度２４００ｄｐｉのレーザビームの場合について図４を用いて説明する。この場合１画素あたり、さらに４×４の微画素マトリックス４０１として露光器４Ｔにより露光することができる。潜像画像データの各画素が２５６段階の階調で表現されるとする。例えば、階調値１２８の画素の場合、プリンタコントローラ１０８により網点面積率５０％でトナー像を形成するようにプリンタ部１１３に命令信号が送られる。つまり４×４の微画素マトリックス４０１において、網点４０２が図４（ａ）のように８微画素分形成されることになる。なお、この８微画素の形成パターンは図４（ａ）に限定されない。
【００２６】
プリンタコントローラ１０８から作像部へは図４（ｂ）の「１」「０」の画像信号が送られる。画像信号が「１」に設定された微画素４０３は網点を表し、画像信号が「０」に設定された微画素４０４はトナーが付着されない微画素を表している。図４（ｂ）の画像信号が送られた作像部は、「１」に設定された微画素４０３では露光器４Ｔにおける不図示のレーザダイオードをＯＮしてレーザビームを点灯させ、「０」に設定された微画素４０４ではレーザダイオードをＯＦＦしてレーザビームを非点灯とする。このようにレーザビームを感光体ドラム１Ｔに照射することにより、感光体ドラム１Ｔに階調表現された潜像画像データの静電像を形成する。続いて、感光体ドラム１Ｔの表面に形成された静電像は現像器３Ｔによって透明トナーで現像され、感光体ドラム１Ｔの表面に透明トナー像が形成される。
【００２７】
（転写部）
本実施形態のＭＦＰ１００の転写部は、中間転写方式を採用している。そのため、転写部は中間転写ベルト２０６、一次転写ローラ５Ｔ、５Ｙ、５Ｍ、５Ｃ、５Ｋ、二次転写装置２０８を含んで構成される。
【００２８】
中間転写ベルト２０６は駆動ローラ２０９が図２中の矢印Ａ方向に回転することにより、図２中の矢印Ｂ方向に回転移動する。一次転写ローラ５Ｔ、５Ｙ、５Ｍ、５Ｃ、５Ｋはそれぞれ、中間転写ベルト２０６を介して感光体１Ｔ、１Ｙ、１Ｍ、１Ｃ、１Ｋと相対する位置に配置されている。二次転写装置２０８は一次転写ローラ５Ｔ、５Ｙ、５Ｍ、５Ｃ、５Ｋの下流に設けられている。
【００２９】
ここで、上述した作像部により、感光体ドラム１Ｔ、２Ｔ、３Ｔ、４Ｔ、５Ｔには各色のトナー像が現像されている。一次転写ローラ５Ｔ、５Ｙ、５Ｍ、５Ｃ、５Ｋにトナーと逆極性のバイアスを印加することにより、感光体ドラム１Ｔ、２Ｔ、３Ｔ、４Ｔ、５Ｔに現像されているトナー像が、中間転写ベルト２０６上に順次一次転写されて重ね合わされる。中間転写ベルト２０６は矢印Ｂ方向に表面移動しているため、中間転写ベルト２０６上では、最下層のトナー像は透明トナー像であり、次にイエロートナー像、マゼンタトナー像、シアントナー像、ブラックトナー像の順に重ね合わされたトナー像が形成されている。
【００３０】
二次転写装置２０８は中間転写ベルト２０６上に形成されたトナー像を印刷媒体に一括転写する。搬送部で説明したレジストローラ対２０５で突き当たって停止していた印刷媒体は、中間転写ベルト２０６に上記トナー像が形成されたタイミングに合わせて、レジストローラ対２０５が印刷媒体を二次転写装置２０８に送り出す。そして中間転写ベルト２０６上に形成されたトナー像は、二次転写装置２０８により印刷媒体に二次転写される。印刷媒体に二次転写されたトナー像は、最下層がブラックトナー像であり、次にシアントナー像、マゼンタトナー像、イエロートナー像、透明トナー像の順に重ね合わされている。つまり印刷媒体上では透明トナー像が最上層に形成されていることになる。
【００３１】
（定着部）
トナー像が形成された印刷媒体は不図示の搬送装置により定着装置２０１に搬送される。定着装置２０１は定着ローラ２０１ａと加圧ローラ２０１ｂで構成されている。定着ローラ２０１ａと加圧ローラ２０１ｂは互いに圧接しており、その間に不図示の定着ニップ部が形成される。トナー像が転写された印刷媒体は定着ニップ部を通過することにより、印刷媒体に転写されたトナー像は印刷媒体に定着される。トナー像が定着された印刷媒体は搬送路を通り機外に排出される。
【００３２】
以下の説明では、印刷媒体に定着されたトナー像を単に「トナー画像」というものとす
る。以上がプリンタ部１１３の構成に関する説明である。
【００３３】
＜＜潜像形成の原理＞＞
次に本実施形態における潜像が形成された印刷媒体において潜像が顕在化される原理に
ついて図５を用いて説明する。
【００３４】
図５は、潜像画像データと潜像の例を示した図である。図５（ａ）はユーザが操作パネ
ル１１１やＰＣで作成し、ＭＦＰ１００に取り込まれた潜像画像データ５０１の例を表し
た図である。図５（ｂ）は潜像画像データ５０１を印刷媒体に形成した潜像５０２を表し
た概念図である。
【００３５】
図５（ａ）の潜像画像データ５０１において、太線で形成された図形５０１ａが潜像画像データ５０１の顕在化される部分であり、図形５０１ａを除く部分５０１ｂが顕在化されない部分である。図５（ｂ）の太線で形成された図形は、潜像画像データ５０１が顕在化される印刷媒体上の領域（以下、第一の領域という）に形成されたトナー画像５０２ａである。符号５０２ｂは、印刷媒体上の前記第一の領域を除く領域（以下、第二の領域という）に形成されたトナー画像である。なお、図５（ｂ）は顕在化される前の潜像５０２を表しているため視認できないが、説明の都合上、トナー画像５０２ａを視認できるように図を作成している。
【００３６】
印刷媒体に潜像５０２を形成する処理では、第二の領域には透明トナーを十分に付着さ
せ、第一の領域にはトナーを付着させない処理を行うこともできる。透明トナーが完全な
透明であれば印刷媒体上には潜像５０２は視認されないためである。ここでトナーを構成
している樹脂は、ワックスが含まれたポリエステル樹脂およびスチレン―アクリル樹脂等
で構成されている。そのため、透明トナーが十分に付着された領域を鉛筆で擦っても鉛筆
の粉が印刷媒体には付着しない。一方トナーが付着されていない領域には印刷媒体の地肌
部に鉛筆の粉が付着する。よって顕在化させない部分には完全な透明の透明トナーで画像
形成を行い、潜像５０２を顕在化させる部分はトナーを付着させないことにより印刷媒体上に潜像を出力することも可能である。
【００３７】
しかし透明トナーは樹脂の透明性や添加物に依存するため、完全な透明ではない。よっ
て潜像５０２を顕在化させない領域に透明トナーを付着させて、顕在化させる領域にはトナーを付着させない処理を行うと、透明トナーを付着した領域ではトナーが付着していない領域よりも色度値が下がるために、潜像５０２としての機能が低下してしまう。そのため、本実施形態では、第一の領域に形成されたトナー画像と第二の領域に形成されたトナー画像の色度値の差が小さくなるように第一の領域に画像形成処理を行う。
【００３８】
ここで、色度値は色の表示空間上の座標を表す。本実施形態で使用する色の表示空間と
しては印刷分野でよく用いられるＬ＊ａ＊ｂ＊を採用する。Ｌ＊ａ＊ｂ＊とはＣＩＥ（国
際照明委員会）の定めたＣＩＥ１９７６Ｌ＊ａ＊ｂ＊である。つまり色度値は（Ｌ＊、ａ
＊、ｂ＊）となる。
【００３９】
図６はＬ＊ａ＊ｂ＊で表す色の表示空間を示す図である。Ｌ＊ａ＊ｂ＊色空間では、色
情報は図６で示すような三次元空間で表される。Ｌ＊は明度を表す次元であり、Ｌ＊＝０
で黒、Ｌ＊＝１００で白を表す。またａ＊は赤と緑の間の位置を表し、正の値は赤寄りの
色で、負の値は緑寄りの色を表す。b＊は黄色と青色の間の位置を表し、正の値は黄色寄
りの色で、負の値は青寄りの色を表す。また、原点から遠ざかるほど鮮やかな色を表す彩
度に用いられる。
【００４０】
色度値の差（色差という）とはつまり、Ｌ＊ａ＊ｂ＊３次元空間上での２点間の距離を表している。具体的には、Ｌ＊同士の差、ａ＊同士の差、ｂ＊同士の差をそれぞれ二乗し、足し合わせた値に対して平方根をとった値である。
【００４１】
なお第一の実施形態では簡単に説明をするため、ａ＊ｂ＊＝０として、つまり色度値を
明度（Ｌ＊）のみで表す。そのためＫ色トナーのみで画像形成を行う例について説明を行
う。つまり以下の式で２つの色の色度値の差ΔＥを求める。ここでＬ1＊とＬ2＊は図６に
おけるＬ＊ａ＊ｂ＊色空間上における二つの色情報Ｐ１、Ｐ２のそれぞれの明度を表して
いる。
【００４２】
【数１】
2012189975.tif 000003
しかし用紙のａ＊ｂ＊に応じては、ＫトナーのみでなくＣＭＹトナーを用いてもよい。
【００４３】
＜＜機能構成＞＞
次に本実施形態のＭＦＰ１００の機能構成について図７を用いて説明する。図７は本実
施形態のＭＦＰ１００の機能構成のブロック図であり、画像入力部７０１、印刷媒体特定
部７０２、画像形成条件決定部７０３、画像形成部７０４、記憶部７０５を有している。
【００４４】
＜画像入力部７０１＞
画像入力部７０１（画像入力手段である）は一例としてＩ／Ｏコントローラ１１０、Ｕ
ＳＢ／ＩＦ１１５、スキャナコントローラ１０９で実現され、操作パネル１１１や、外部
のＰＣ、スキャナ部１１４で原稿読み取りした潜像画像データの入力を行う。入力された潜像画像データは一例としてＨＤＤ１０４によりＨＤ１０５に格納する。
【００４５】
＜記憶部７０５＞
記憶部７０５は一例としてＨＤ１０５で実現され、画像入力部７０１で入力された各種
画像データ及び後述するカラーテーブルＡ、カラーテーブルＢの集合、後述する各種印刷媒体を特定するしきい値テーブル７０５ａを格納している。
【００４６】
印刷媒体の種類によってトナーが付着した際の明度は異なる。そのため、予め、印刷媒体に網点面積率１００％の透明トナー画像を形成した際の、該透明トナー画像の明度を、印刷媒体の種類ごとに計測する。その計測結果を、印刷媒体の種類と前記明度Ｌ＊を対応付けたテーブル（カラーテーブルＡという）として記憶部７０５に記憶する。また、予め、印刷媒体に網点面積率を０〜１００％の範囲で変化させて形成したＫ色トナー画像の明度を計測する。そして、その計測結果を、網点面積率とその網点面積率で形成したＫ色トナー画像の明度Ｌ＊を対応付けたテーブル（カラーテーブルＢという）として記憶部７０５に記憶する（第一の記憶手段の一例）。このカラーテーブルＢも予め、印刷媒体の種類ごとに記憶部７０５に記憶する。
【００４７】
図８はカラーテーブルＡ、カラーテーブルＢを示す概念図である。図８（ａ）はカラー
テーブルＢの集合である。テーブル８０１は印刷媒体ＡのカラーテーブルＢ、テーブル８０２は印刷媒体ＢのカラーテーブルＢ、テーブル８０３は印刷媒体ＣのカラーテーブルＢである。例えば、印刷媒体ＡにＫ色トナーを網点面積率で１００％付着させた場合、Ｋ色トナー画像の明度は１０であることを示している。図８（ｂ）はカラーテーブルＡであり、テーブル８０４は印刷媒体Ａ、印刷媒体Ｂ、印刷媒体Ｃにそれぞれ透明トナーを網点面積率１００％で透明トナー画像を形成した際における、印刷媒体の種類と透明トナー画像の明度を対応付けて記憶している。
【００４８】
＜印刷媒体特定部７０２＞
印刷媒体特定部７０２は、色度値の異なる印刷媒体の種類を特定する。図９は反射型光
学センサを利用した印刷媒体の種類を特定する手段を示した概念図である。
【００４９】
印刷媒体を搬送する搬送ベルト２０７上に反射型光学センサ９０３を設け、反射型光学センサ９０３の発光部９０３ａから印刷媒体に向けて光を発して、反射型光学センサ９０３の受光部９０３ｂで反射光を検知する。発光部９０３ａは例えば発光ダイオードなどで構成され、受光部９０３ｂは例えばフォトトランジスタなどで構成される。
【００５０】
予め、色度値の異なる複数の印刷媒体における反射型光学センサ９０３の出力電圧値を計測する。計測結果から印刷媒体を特定するしきい値を設定し、印刷媒体としきい値を対応付けて、各種印刷媒体を特定するしきい値テーブル７０５ａとして記憶部７０５に格納しておく。そして潜像を形成する印刷媒体における反射型光学センサ９０３の検知結果に基づき、各種印刷媒体を特定するしきい値テーブル７０５ａを参照して、何れの印刷媒体のしきい値の範囲に含まれるかＣＰＵ１０１の処理により判定処理を行い、印刷媒体を特定する。
【００５１】
また、図１０は印刷媒体の種類を操作パネル１１１上で選択する表示画面の概念図であ
る。潜像を形成する印刷媒体の種類を特定する方法として、予め印刷媒体の種類ごとにカ
ラーテーブルＢが登録されており、印刷媒体の種類を示すウィンドウを操作パネル１１１
上に表示し、ユーザに潜像を形成する印刷媒体の種類を選択させる方法でもよい。図１０
では予め登録されている印刷媒体の種類ごとにボタン１０ａ、１０ｂ、１０ｃを表示し、
ユーザが所望の印刷媒体を選択しボタンを押下することにより印刷媒体の種類を特定する
ことができる。
【００５２】
＜画像形成条件決定部７０３＞
画像形成条件決定部（画像形成条件決定手段である）７０３は、ＲＯＭ１０３に記憶さ
れているプログラムに従ったＣＰＵ１０１からの命令によって実現される。まず画像形成
条件決定部７０３は、印刷媒体特定部７０２で特定された潜像を形成する印刷媒体に対応するカラーテーブルＢを読み出す機能を有する。さらに、カラーテーブルＡから印刷媒体特定部７０２で特定された潜像を形成する印刷媒体に、網点面積率１００％の透明トナー画像を形成した際の、該透明トナー画像の明度を読み出す機能を有する。
【００５３】
印刷媒体特定部７０２が特定した印刷媒体の種類に関する情報に基づき、ＣＰＵ１０１がＨＤＤ１０４に命令信号を伝達する。ＨＤＤ１０４が、記憶部７０５に記憶されているカラーテーブルＢの集合から特定された印刷媒体に該当するカラーテーブルＢを読み出す。またＨＤＤ１０４が、記憶部７０５に記憶されているカラーテーブルＡから特定された印刷媒体に対応付けられた明度を読み出す。
【００５４】
また画像形成条件決定部７０３は、画像入力部７０１で入力され、記憶部７０５に格納
されている潜像画像データが印刷媒体に形成された際に、第一の領域に形成されたトナー
画像と第二の領域に形成されたトナー画像の明度の差が最小となるように、第一の領域に
形成されるトナー画像の画像形成条件を決定する処理を行う。ここで本実施形態では画像
形成条件として前述した網点面積率を用いて、第一の領域に形成されるトナー画像と第二
の領域に形成されるトナー画像の明度の差が最小となるように、第一の領域に形成される
トナー画像の網点面積率を決定する処理を行う。そして、ＣＰＵ１０１が決定された網点
面積率で画像形成を行うようにプリンタコントローラ１０８を介して画像形成部７０４に命令する。明度の差が最小となるような網点面積率で、第一の領域に対してもトナー画像を形成することにより、潜像としての機能の低下の防止を行うことができる。
【００５５】
＜画像形成部７０４＞
画像形成部７０４（画像形成手段である）は、プリンタ部１１３によって実現され、プ
リンタコントローラ１０８からの命令信号に基づき印刷媒体に画像形成を行う。画像形成
条件決定部７０３で決定された画像形成条件はプリンタコントローラ１０８を介してプリ
ンタ部１１３における作像部に命令伝達される。作像部は前記画像形成条件に基づき、感光体ドラム１Ｔ、１Ｙ、１Ｍ、１Ｃ、１Ｋの少なくともいずれか一つにトナー像を形成する。そして転写部で印刷媒体に前記トナー像に転写される。その後、定着部で印刷媒体に転写された前記トナー像が定着されることにより、画像形成を行う。
【００５６】
＜＜処理、動作＞＞
以上が、本実施形態に係るＭＦＰ１００の構成及び機能の説明であり、続いて、図１１
乃至図１４を用いて、本実施形態に係るＭＦＰ１００が印刷媒体上に潜像を形成する処理
について説明する。なお、以下の説明では印刷媒体として「ＰＯＤグロスコート  Ａ４（
１２８ｇ／ｍ＾２）」紙（以下、ＰＯＤグロスコート紙とする）にユーザが作成した図５
（ａ）の潜像画像データ５０１を出力することにより、図５（ｂ）の潜像５０２を形成す
る例を示す。図１１は本実施形態のＭＦＰ１００が印刷媒体に潜像５０２を形成するまで
の処理のフローチャートである。
【００５７】
＜描画ウィンドウの表示指示（ステップＳ１０１）、入力処理（ステップＳ１０２）＞
まず操作パネル１１１上に表示される隠し絵モードの選択を受け付けると、ＣＰＵ１０
１はＩ／Ｏコントローラ１１０に対して隠し絵を描くために、操作パネル１１１に図１２
の描画ウィンドウ１２１を表示するように指示する（ステップＳ１０１）。  図１２は操
作パネル１１１上に表示された隠し絵を描くための描画ウィンドウを示した概念図である
。図１２の描画ウィンドウ１２１はタッチパネルとなっており、図１２中の鉛筆アイコン
１２２を押した後に、枠内に物理的な接触があると、接触部が黒くなり絵を描くことがで
きる。また、消しゴムアイコン１２３を押した後、絵を描いた箇所をなぞると、その箇所
の画像は消され、絵の修正が可能である。ここで作成される絵は白と黒の二値画像である
。画像が作成されると、次に潜像画像データ５０１の入力を行う（ステップＳ１０２）。
図１２のＯＫボタン１２４を押すと記憶部７０５に対して潜像画像データ５０１を記憶す
る。
【００５８】
＜印刷媒体特定処理（ステップＳ１０３）＞
次に印刷媒体特定部７０２が印刷媒体の種類を特定する処理を行うが（ステップＳ１０
３）、本実施形態では前述したように印刷媒体は予めＰＯＤグロスコート紙を用いるもの
として特定しているため、印刷媒体の種類の特定を行う処理は行わないものとする。
【００５９】
＜画像形成条件決定処理（ステップＳ１０４、ステップＳ１０５）＞
画像形成条件決定部７０３は、印刷媒体特定部７０２が印圧媒体の種類を特定した場合
、特定した印刷媒体の種類に応じたカラーテーブルＢをカラーテーブルＢの集合から読み
出す。さらにカラーテーブルＡから特定した印刷媒体に透明トナー１００％付着させたト
ナー画像の明度（Ｌ＊）を取得する（ステップＳ１０４）。しかし前述したように本実施
形態では予めＰＯＤグロスコート紙が特定されている。そのため、本実施形態ではカラーテーブルＢとして、ＰＯＤグロスコート紙にＫ色トナー画像の網点面積率を変化させた際の、網点面積率とＫ色トナー画像の明度（Ｌ’＊）の関係を表した図１３の実験結果を用いる。また、ＰＯＤグロスコート紙に網点面積率１００％の透明トナー画像の明度（Ｌ＊）は７９．４６である。
【００６０】
次に画像形成条件決定部７０３により第一の領域に形成するトナー画像と第二の領域に
形成するトナー画像の明度の差が最小となる条件を満たす第一の領域に形成するトナー画
像の網点面積率を導出する（ステップＳ１０５）。第二の領域に形成するトナー画像は透
明トナーを１００％付着させるため、第二の領域に形成するトナー画像の明度（Ｌ＊）は印刷媒体の種類が特定されれば既知となる。そのため、潜像を形成した状態で第一の領域に形成したトナー画像が視認されないようにするためには、第一の領域に形成するトナー画像の明度（Ｌ’＊）を第二の領域に形成するトナー画像の明度（Ｌ＊）に近づける必要がある。
【００６１】
そのため、第一の領域に付着させるＫ色トナーの網点面積率と明度（Ｌ’＊）の関係を
表した図１３から、第二の領域に形成されるトナー画像の明度（Ｌ＊）と最も近くなる明度（Ｌ’＊）を以下の式を用いて導出する。
【００６２】
【数２】
2012189975.tif 000004
透明トナーが網点面積率１００％で付着される第二の領域に形成されるトナー画像の明
度（Ｌ＊＝７９．４６）と第一の領域に形成されるトナー画像の明度（Ｌ’＊）の差（以
下、ΔＥという）が最小となる明度（Ｌ’＊）を導出する。
【００６３】
ΔＥが最小となるＬ’＊の導出方法として、ソフトウェア上でＬ’＊を更新して、そのときのL’＊とΔＥを対応付けてバッファに格納し、現在格納されているΔＥと更新したΔＥとを比較する。更新されたΔＥが現在格納されているΔＥよりも小さければ、バッファを更新する。この処理の繰り返しにより、ΔＥが最小となるＬ’＊を導出できる。
【００６４】
図１３中の矢印Ａは明度（Ｌ’＊）の軸における、第二の領域に形成されるトナー画像の明度（Ｌ＊）の位置を表している。矢印ＡよりＬ＊と最も近いＬ’＊を有するトナー画像を形成するためには、Ｋ色トナーで網点面積率２０％のトナー画像を形成する必要があることがわかる。この網点面積率が第一の領域に形成されるトナー画像の網点面積率である。そして、ＣＰＵ１０１がプリンタコントローラ１０８を介して第一の領域に形成するトナー画像の網点面積率の情報を画像形成部７０４へ送る。
【００６５】
＜画像形成処理（ステップＳ１０６）＞
画像形成条件決定部７０３で決定された第一の領域に形成するトナー画像の網点面積率に基づき、画像形成部７０４がＰＯＤグロスコート紙に潜像５０２の画像形成を行う（ステップＳ１０６）。画像形成部７０３において、実際に網点面積率を制御するプロセスは作像部である。作像部が網点面積率を制御するためには、前述した階調表現の面積階調制御を行う。露光器４Ｃ、４Ｍ、４Ｙ、４Ｋ、４Ｔの解像度は潜像画像データ５０１の解像度よりも細かいため、１画素をさらに細かな微画素として表現する。
【００６６】
図１４は潜像画像データ５０１における顕在化される部分のある１画素１４２と顕在化されない部分のある１画素１４１をそれぞれ画像信号で表している図である。ここでは、潜像画像データの解像度が６００ｄｐｉであり、露光器４Ｔが解像度２４００ｄｐｉのレーザビームの場合について説明する。つまり１画素を４×４の微画素マトリックスで表現している。顕在化される部分においては、１画素あたりの網点の面積率が２０％となるように、レーザビームを照射する微画素の画像信号「１」、レーザビームを照射しない微画素の画像信号「０」がプリンタコントローラ１０８を介して画像ステーションＫへ送られる。
【００６７】
顕在化されない部分では透明トナー網点面積率１００％で画像形成するため、画像ステ
ーションＴへ微画素がすべて画像信号「１」で表現された画像信号が送られる。そして一様に帯電された感光体ドラム１Ｔ、１Ｋの表面に、送られた画像信号に応じて、レーザダイオードを点灯もしくは非点灯することによって、静電像を形成する。そして現像器３Ｔ、３Ｋによってトナー像が感光体ドラム１Ｔ、１Ｋに形成され、転写部によりＰＯＤグロスコート紙にトナー像が転写され、定着器２０１を通過することでトナー像がＰＯＤグロスコート紙に定着される。そして図５（ｂ）の潜像５０２が形成されたＰＯＤグロスコート紙が出力される。
【００６８】
＜＜本実施形態の効果＞＞
本実施形態に係るＭＦＰ１００では、第一の領域に形成するトナー画像の明度と第二の
領域に形成するトナー画像の明度が最小となるような、画像形成条件である網点面積率を
決定し、決定した網点面積率で画像形成を行った。これによりＰＯＤグロスコート紙に形
成した潜像が顕在化される前に視認されることがない画像形成ができる。
【００６９】
＜＜＜第二の実施形態＞＞＞
第一の実施形態では、記憶部７０５に記憶されているカラーテーブルＡを参照して、特
定した印刷媒体に透明トナーを１００％付着させた際の明度を読み出す。そして、カラー
テーブルＢを参照して第一の領域に形成されるトナー画像と第二の領域に形成されるトナ
ー画像の明度の差が最小となるような、第一の領域に形成されるトナー画像の網点面積率
を、数２の計算を行うことにより導出していた。本実施形態では潜像画像データが入力さ
れるたびに上記の導出計算を行うのではなく、印刷媒体ごとに、第一の領域に形成される
トナー画像と第二の領域に形成されるトナー画像の明度の差が最小となるような第一の領
域に形成されるトナー画像の網点面積率を、予め記憶しておくことが特徴である。
【００７０】
＜＜本実施形態の機能構成＞＞
本実施形態のＭＦＰ１００の機能構成について図１５を用いて説明する。図１５は本実
施形態のＭＦＰ１００の機能構成のブロック図であり、画像入力部７０１、印刷媒体特定
部７０２、画像形成条件抽出部１５１、画像形成条件記憶部１５２、画像形成部７０４を
有している。第一の実施形態と共通する画像入力部７０１、印刷媒体特定部７０２、画像
形成部７０４については説明を省略し、ここでは画像形成条件記憶部１５２と画像形成条
件抽出部１５１について説明する。
【００７１】
＜画像形成条件記憶部１５２＞
画像形成条件記憶部１５２（画像形成条件記憶手段である）は一例としてＨＤ１０５で
実現される。印刷媒体上に透明トナーを網点面積率１００％で形成したトナー画像の明度と、最も近い明度を有する有色トナーのトナー画像を形成する網点面積率を印刷媒体の種類ごとに予め記憶している。予め、印刷媒体に網点面積率１００％の透明トナー画像を形成した際の、該透明トナー画像の明度を計測する。そして有色トナーの有色トナーの網点面積率を調整して、前記計測した透明トナー画像の明度と最も近くなる有色トナー画像の明度の網点面積率（本実施形態における第一の領域に形成されるトナー画像の網点面積率）を特定する処理を行う。この処理を印刷媒体の種類ごとに行う。そして印刷媒体と特定した網点面積率を対応付けたテーブルとして、ＨＤ１０５に記憶する。また画像形成条件記憶部１５２は、上述した印刷媒体特定部７０２が参照する各種印刷媒体を特定するしきい値テーブル７０５ａも記憶している。
【００７２】
＜画像形成条件抽出部１５１＞
画像形成条件抽出部１５１は、ＲＯＭ１０３に記憶されているプログラムに従ったＣＰ
Ｕ１０１からの命令によって実現される。第一の領域に形成されるトナー画像と第二の領
域に形成されるトナー画像の明度差が最小となる、第一の領域に形成されるトナー画像の
網点面積率を画像形成条件記憶部１５２より抽出する。そして抽出した網点面積率で画像
形成を行うようにプリンタコントローラ１０８を介して画像形成部７０４に命令する。
【００７３】
＜＜本実施形態の処理、動作＞＞
以上が、本実施形態に係るＭＦＰ１００の構成及び機能の説明であり、続いて、図１６
を用いて、本実施形態に係るＭＦＰ１００が潜像を形成する処理について説明する。図１
６は本実施形態のＭＦＰ１００が印刷媒体に潜像を形成する処理を示すフローチャートで
ある。なお、ステップＳ２０１はステップＳ１０１と、ステップＳ２０２はステップＳ１０２と、ステップＳ２０３はステップＳ１０３と、ステップＳ２０５はステップＳ１０６と同じ処理であるため説明を省略し、ここでは第一の実施形態の処理とは異なるステップＳ２０４について説明する。また第一の実施形態と同様に、印刷媒体は予めＰＯＤグロスコート紙を用いるものとして特定しているものとする。
【００７４】
ステップＳ２０４は、ステップＳ２０３で特定した印刷媒体に基づき、画像形成条件決抽出部１５１が第一の領域に形成するトナー画像の網点面積率を画像形成条件記憶部１５２より抽出する。本実施形態では予めＰＯＤグロスコート紙を用いるものとして特定されている。そのため、特定されたＰＯＤグロスコート紙の情報を基に、印刷媒体と本実施形態における第一の領域に形成されるトナー画像の網点面積率を対応付けたテーブルに対して検索を行い、ＰＯＤグロスコート紙における第一の領域に形成されるトナー画像の網点面積率を抽出する。
【００７５】
＜＜本実施形態の効果＞＞
本実施形態では、潜像画像データが入力されるたびに網点面積率の導出計算を行わず、
第一の領域に形成するトナー画像の明度と第二の領域に形成するトナー画像の明度の差が
最小となる、第一の領域に形成するトナー画像の画像形形成条件である網点面積率を予め
画像形成条件記憶部１５２に記憶しておく。これにより、第一の実施形態のＭＦＰ１００
より高速に、ＰＯＤグロスコート紙に形成した潜像が顕在化される前に視認されることがない画像形成ができる。
【００７６】
＜＜＜第三の実施形態＞＞＞
第一、第二の実施形態では、第二の領域に形成するトナー画像は透明トナーのみを使用
していたため、潜像の下地の色はほぼ印刷媒体の色であったが、本実施形態では第二の領
域に形成するトナー画像にも有色トナーを用いることで、地肌に色がある潜像を形成する
ことが特徴である。
【００７７】
＜＜本実施形態の機能構成＞＞
次に本実施形態のＭＦＰ１００の機能構成について図１７を用いて説明する。図１７は
本実施形態のＭＦＰ１００の機能構成のブロック図であり、画像入力部７０１、色入力部
１７１、印刷媒体特定部７０２、抽出部１７２、画像形成条件決定部１７３、画像形成部
７０４、記憶部１７４を有している。第一、第二の実施形態と共通する画像入力部７０１
、印刷媒体特定部７０２、画像形成部７０４については説明を省略し、ここでは色入力部
１７１、抽出部１７２、記憶部１７４、画像形成条件決定部１７３の一部構成について説
明する。
【００７８】
＜色入力部１７１＞
色入力部１７１（色入力手段である）は一例として、Ｉ／Ｏコントローラ１１０、操作
パネル１１１で構成されている。操作パネル１１１上で表示されている「Ｃ色」、「Ｍ色」、「Ｙ色」、「Ｋ色」のボタンの領域に物理的な接触があると、選択された色の情報である色情報が記憶部１７４に記憶される。
【００７９】
＜記憶部１７４＞
次に本実施形態の記憶部１７４について図１８及び図１９を用いて説明する。図１８は
後述するカラーテーブルＣの集合を示す図であり、図１９は後述するカラーテーブルＤを表す図である。図１８のテーブル１８１はＣ色のカラーテーブルＣ、テーブル１８２はＭ色のカラーテーブルＣ、テーブル１８３はＹ色のカラーテーブルＣ、テーブル１８４はＫ色のカラーテーブルＣである。
【００８０】
カラーテーブルＣ（第三の記憶手段の一例である）は、第一の領域に形成するトナー画像の画像形成条件である網点面積率と前記網点面積率で形成されたトナー画像の色度値を対応付けているテーブルである。予め、印刷媒体に網点面積率を０〜１００％の範囲で変化させて形成させたＣ色トナー画像、Ｍ色トナー画像、Ｙ色トナー画像、Ｋ色トナー画像の色度値を計測する。そして、色ごとに、網点面積率とその網点面積率で形成したトナー画像の色度値を対応付けて、カラーテーブルＣを作成し、予め記憶部１７４に記憶している。ここで色度値はＬ＊ａ＊ｂ＊色空間を用いる。第一の実施形態、第二の実施形態では色度値をＬ＊（明度）で扱っていたが、本実施形態では有色トナーのトナー画像の色度値を扱うので、（Ｌ＊、ａ＊、ｂ＊）で色度値を表現する。
【００８１】
本実施形態では地肌に色がある潜像を形成するため、第二の領域には透明トナーだけで
なく有色トナーも重ねる。第二の領域に形成する有色トナーのトナー画像の網点面積率を
１〜１０％に設定すると、第一の領域に形成するトナー画像との色度値の調整をすることができることが発明者の実験により判明した。そのため、ユーザは１〜１０％の範囲で任意に第二の領域の有色トナーのトナー画像の網点面積率を設定してもよいが、本実施形態では説明を簡単にするため１０％に設定する。なお透明トナーのトナー画像は網点面積率１００％で形成する。
【００８２】
この点を前提として図１９に示すカラーテーブルＤを説明する。カラーテーブルＤ（第
二の記憶手段の一例である）は、色情報と第二の領域に形成するトナー画像の色度値を対応付けたテーブルである。第二の領域に形成するトナー画像は有色トナー画像と透明トナー画像を重ねた画像である。そのため、予め、印刷媒体に網点面積率１０％のＣ色トナー画像と網点面積率１００％の透明トナー画像を重ねた画像の色度値を計測する。Ｍ色トナー画像、Ｙ色トナー画像、Ｋ色トナー画像も同様に透明トナー画像と重ねた画像の色度値を計測する。そして、計測した色度値を透明トナー画像と重ねたトナー画像の色情報と対応付けてカラーテーブルＤを作成し、予め記憶部１７４に記憶する。例えば、色情報がＭ色の場合には、第二の領域に形成されるトナー画像は、網点面積率１００％の透明トナー画像と網点面積率１０％のＭ色トナー画像を重ねたトナー画像であり、このトナー画像の色度値はＬ＊＝８８．２３、ａ＊＝−１．１７、ｂ＊＝１．３３となる。
【００８３】
＜抽出部１７２＞
抽出部１７２はＲＯＭ１０３に記憶されているプログラムに従ったＣＰＵ１０１からの
命令によって、記憶部１７４に記憶されているデータやテーブルの読み出しを行う。抽出
部１７２は上記色入力部１７１で入力された色情報を基にして、記憶部１７４に記憶され
ているカラーテーブルＣの集合を検索して、入力された色情報に対応するカラーテーブルＣを抽出する機能を有する。また、カラーテーブルＤを検索して、入力された色情報に対応する有色トナー画像と透明トナー画像を重ねたトナー画像の色度値を抽出する機能を有する。
【００８４】
＜画像形成条件決定部１７３＞
画像形成条件決定部１７３はＲＯＭ１０３に記憶されているプログラムに従ったＣＰＵ
１０１からの命令によって実現される。画像形成条件決定部１７３は、カラーテーブルＣ
の集合から抽出部１７２が抽出したカラーテーブルＣと、カラーテーブルＤから抽出した
第二の領域に形成するトナー画像の色度値に基づいて、前記カラーテーブルＣから前記色
度値に最も近い色度値を導出し、導出された色度値を有するトナー画像の画像形成条件で
ある網点面積率を決定する。この網点面積率が第一の領域に形成する領域のトナー画像の
画像形成条件となる。この網点面積率の情報をＣＰＵ１０１がプリンタコントローラ１０
８を介して画像形成部７０４へ信号を送る。
【００８５】
＜＜本実施形態の処理・動作＞＞
以上が、本実施形態に係るＭＦＰ１００の構成及び機能の説明であり、続いて、図２０
乃至図２２を用いて、本実施形態に係るＭＦＰ１００が潜像を形成する処理について説明
する。図２０は本実施形態のＭＦＰ１００が潜像を印刷媒体に形成するまでの処理フロー
である。なお、以下の説明では印刷媒体としてＰＯＤグロスコート紙にユーザが作成した
図５（ａ）の潜像画像データ５０１を出力することにより、印刷媒体の地肌に色がある潜
像５０２を形成する例を示す。図２０は本実施形態のＭＦＰ１００が印刷媒体に潜像５０
２を形成する処理のフローチャートである。
【００８６】
＜潜像画像データ、色情報の入力処理（ステップＳ３０１、ステップＳ３０２）＞
図２１は操作パネル１１１上に表示された隠し絵を描くための描画ウィンドウを示した
概念図である。まず操作パネル１１１上に表示される隠し絵モードの選択を受け付けると
、ＣＰＵ１０１はＩ／Ｏコントローラ１１０に対して隠し絵を描くために、操作パネル１
１１に図２１の描画ウィンドウ１２１を表示するように指示する（ステップＳ３０１）。
第一の実施形態における描画ウィンドウ１２１と異なる点は、地肌の色選択ボタン１２５が追加されている点である。ユーザが色選択ボタン１２５を押すと、操作パネル上にシアン色（Ｃ色）、マゼンタ色（Ｍ色）、イエロー色（Ｙ色）、ブラック色（Ｋ色）の中からいずれかの色を選択させるメッセージ画面が表示される。ユーザは希望する潜像の地肌の色を選択してＯＫボタン１２４を押すと、ユーザが作成した潜像画像データ５０１と地肌色の色情報が画像入力部７０１及び色入力部１７１により、記憶部１７４に記憶される（ステップＳ３０２）。ここではＭ色が選択された例について以下で説明を行う。
【００８７】
＜カラーテーブルＤの参照（ステップＳ３０３）＞
ステップＳ３０３では、ステップＳ３０２で入力されたＭ色の色情報を基にして抽出部
１７２が図１９に示すカラーテーブルＤを検索して、第二の領域に形成するトナー画像（
網点面積率１０％のＭ色トナー画像と網点面積率１００％の透明トナー画像を重ねたトナー画像）の色度値を抽出する。第二の領域に形成するトナー画像の色度値はＬ＊＝８８．２３、ａ＊＝−１．１７、ｂ＊＝１．３３である。
【００８８】
＜カラーテーブルＣの参照（ステップＳ３０４）＞
ステップＳ３０４では、ステップＳ３０２で入力されたＭ色の色情報を基にして、抽出
部１７２がカラーテーブルＣの集合から、Ｍ色トナー画像の網点面積率と色度値が対応付
けられたテーブル１８２を抽出する。図２２はＭ色トナー画像の網点面積率と色度値が対
応付けられたテーブル１８２の詳細図である。
【００８９】
＜画像形成条件の決定（ステップＳ３０５）＞
次にステップＳ３０５では、画像形成条件決定部１７３が、ステップＳ３０３で抽出し
た第二の領域に形成するトナー画像の色度値と第一の領域に形成するトナー画像の色度値の差が最小となる条件を満たす第一の領域に形成する網点面積率を、ステップＳ３０４で抽出した図２２のテーブル１８２から導出する。導出には以下の数３を用いる。
【００９０】
【数３】
2012189975.tif 000005
Ｌ＊、ａ＊、ｂ＊は第二の領域に形成するトナー画像の色度値であり、ここではステッ
プＳ３０３で抽出したＬ＊＝８８．２３、ａ＊＝−１．１７、ｂ＊＝１．３３である。Ｌ
’＊、ａ’＊、ｂ’＊は第一の領域に形成するトナー画像の色度値を表し、ΔＥは第一の
領域に形成するトナー画像のＬ＊ａ＊ｂ＊値と第二の領域に形成するトナー画像のＬ’＊
ａ’＊ｂ’＊値の差を表している。ΔＥが最小となるＬ’＊ａ’＊ｂ’＊値を導出し、導
出されたＬ’＊ａ’＊ｂ’＊値に対応する網点面積率を求める。本実施形態では図２２のテーブル１８２の詳細図から、ΔＥが最小となるのは、Ｌ’＊＝９０．５３、ａ’＊＝０．８３、ｂ’＊＝１．４８であることがわかる。このときのＭトナーの網点面積率は１０％となる。決定された第一の領域に形成されるトナー画像の網点面積率の情報をＣＰＵ１０１がプリンタコントローラ１０８を介して画像形成部７０４へ信号を送る。
【００９１】
＜画像形成処理（ステップＳ３０６）＞
ステップＳ３０６では、画像形成条件決定部１７３で決定された第一の領域に形成されるトナー画像の網点面積率の情報と、既知の第二の領域に形成されるトナー画像の網点面積率の情報に基づき、画像形成処理を行う。
【００９２】
具体的には、第一の領域に形成するトナー画像は画像形成条件決定部１７３で決定されたＭ色トナー網点面積率１０％でＰＯＤグロスコート紙に画像形成される。第二の領域に形成するトナー画像は網点面積率１００％の透明トナー画像と網点面積率１０％の透明トナー画像を重ねた画像で画像形成される。画像形成は第一の実施形態と同様に、潜像５０２が顕在化される領域では、１画素あたりの網点の面積率が１０％となるように、プリンタコントローラ１０８から画像ステーションＭへ命令信号が送られる。潜像５０２が顕在化されない領域では、透明トナーの網点面積率１００％、Ｍ色トナーの網点面積率１０％となるように、プリンタコントローラ１０８から画像ステーションＴと画像ステーションＭへ画像信号が送られる。
【００９３】
画像ステーションＭ、画像ステーションＴは画像信号に基づき、一様に帯電された感光体ドラム１Ｍ、１Ｔの表面に、静電像を形成する。そして現像器３Ｍ、３Ｔによって感光体ドラム１Ｍ、１Ｔに静電像が現像されてトナー像が形成され、転写部によりＰＯＤグロスコート紙に前記トナー像が転写され、定着器２０１を通過することでトナー像がＰＯＤグロスコート紙に定着される。そして潜像が形成されたＰＯＤグロスコート紙が出力される。
【００９４】
＜＜本実施形態の効果＞＞
本実施形態に係るＭＦＰ１００では第二の領域に形成するトナー画像は有色トナー画像と透明トナー画像とを重ねたトナー画像であり、印刷媒体の地肌に色がある潜像を形成することができる。さらに第一の領域に形成するトナー画像は、第二の領域に形成するトナー画像と色度値が最も小さくなる画像形成条件である網点面積率で画像形成する。これによりＰＯＤグロスコート紙に形成した潜像が顕在化される前に視認されることがない画像形成ができる。
【００９５】
＜＜＜第四の実施形態＞＞＞
第一、第二、第三の実施形態では、例えば鉛筆で擦ったときに画像が浮かび上がるか否かの潜像であった。本実施形態では鉛筆で擦った後に、濃淡を表現することができる画像形成装置を提供する。本実施形態の着想は、発明者が印刷媒体に載せる透明トナーの網点面積率の大きさと、係る透明トナー画像を鉛筆で擦った後に顕在化されるトナー画像の濃さに相関があることを発見したことによる。つまり、網点面積率が大きくなるほど、鉛筆の粉が印刷媒体に付着する量が減少し、顕在化されたトナー画像は薄くなる。これは透明トナーの網点面積率が大きくなるにつれて、印刷媒体の地肌の面積率が減少するため、鉛筆の粉が付着する面積が減るためである。
【００９６】
以下の説明において、例として、潜像画像データを構成する複数の画素の濃度を２５６階調、すなわち０〜２５５のいずれかの整数である階調値で示す形式とする。なお、階調値は濃度を示す指標の一例であり、濃度そのものではないが、以下の説明においては説明の便宜上、「階調値が示す濃度」を単に「濃度」というものとする。そのため「潜像画像データの濃度」とは、潜像画像データの画素の階調値が示す濃度である。以下に本実施形態のＭＦＰ１００の機能構成と動作について説明する。
【００９７】
＜＜本実施形態の機能構成＞＞
本実施形態のＭＦＰ１００の機能構成について図２３を用いて説明する。図２３は本実
施形態のＭＦＰ１００の機能構成のブロック図であり、画像入力部７０１、印刷媒体特定
部７０２、画像形成条件抽出部２３１、画像形成部７０４、記憶部２３２を有している。
前述した実施形態の機能構成である画像入力部７０１、印刷媒体特定部７０２、画像形成
部７０４については説明を省略し、ここでは記憶部２３２と画像形成条件抽出部２３１に
ついて説明する。
【００９８】
＜記憶部２３２＞
記憶部２３２は一例としてＨＤ１０５で実現され、明度差最小条件テーブル２３２ａを
記憶している。図２４は明度差最小条件テーブル２３２ａを表している。明度差最小条件テーブル２３２ａは、濃度識別子と濃度識別子が指す濃度と該濃度を有するトナー画像を形成するための画像形成条件を対応付けたテーブルである。濃度識別子は、操作パネル上に表示された設定可能な濃度を示す識別子であり、ユーザは所望の濃度識別子を設定して潜像画像データを作成する。濃度識別子は識別子が指す濃度の情報と対応付けられており、例えば濃度識別子「２」は濃度では４６を表している。また濃度識別子はその濃度を有するトナー画像を形成する画像形成条件とも対応付けられており、濃度識別子「２」が指し示している濃度「４６」を有するトナー画像の画像形成条件は透明トナー網点面積率が１８％、Ｋ色トナーの網点面積率は７．５％である。
【００９９】
ここで、前述したように濃度を表現するには透明トナーの網点面積率を制御するだけで
よい。しかし、第一の領域に形成するトナー画像の色度値と第二の領域に形成するトナー
画像の色度値の差を小さくして潜像効果を高めるためには、第一の領域に透明トナー画像だけでなくＫ色トナー画像も形成する必要がある。そのため、予め潜像を形成する印刷媒体に第二の領域に形成する網点面積率１００％の透明トナー画像を形成し、前記透明トナー画像の明度を計測する。そして所定の濃度を有するトナー画像を形成するための網点面積率で形成された透明トナー画像が、前記第二の領域に形成する点面積率１００％の透明トナー画像の明度に近づくように、Ｋ色トナー画像の網点面積率を調整する。この処理を濃度識別子１から１１のすべてのパターンで行うことにより、明度差最小条件テーブル２３２ａを作成する。このように本実施形態のＭＦＰ１００は予め、入力された潜像画像データの濃度を実現し、かつ潜像効果を高めるための画像形成条件である網点面積率を記憶部２３２に記憶されている。
【０１００】
＜画像形成条件抽出部２３１＞
画像形成条件抽出部２３１はＲＯＭ１０３に記憶されているプログラムに従ったＣＰＵ
１０１からの命令によって実現される。画像形成条件抽出部２３１は画像入力部７０１に
より入力され、記憶部２３２に記憶された潜像画像データの１画素ごとの濃度から、対応
する画像形成条件を明度差最小条件テーブル２３２ａから抽出する。また、潜像画像デー
タの濃度に対応した濃度識別子を検索条件として、画像形成条件を抽出してもよい。
【０１０１】
＜＜本実施形態の処理・動作＞＞
以上が、本実施形態に係るＭＦＰ１００の構成及び機能の説明であり、続いて、図２５
乃至図２７を用いて、本実施形態に係るＭＦＰ１００が潜像を形成する処理について説明
する。図２５は本実施形態のＭＦＰ１００が潜像を印刷媒体に形成するまでの処理フロー
である。図２６は図５ａの潜像画像データ５０１に濃淡を設定した潜像画像データ２６０である。図２７は操作パネル１１１上に表示された隠し絵を描くための描画ウィンドウを示した概念図である。図２６の潜像画像データ２６０では、符号Ｆ１の領域には濃度識別子「１」、符号Ｆ２の領域には濃度識別子「３」、符号Ｆ３の領域には濃度識別子「５」、符号Ｆ４の領域には濃度識別子「７」、符号Ｆ５の領域には濃度識別子「１１」が設定されているとする。また、以下の説明では印刷媒体としてＰＯＤグロスコート紙に、潜像画像データ２６０を出力する例について説明する。
【０１０２】
＜描画ウィンドウの表示指示、潜像画像データの入力処理（ステップＳ４０１、ステップＳ４０２）＞
まず操作パネル１１１上に表示される隠し絵モードの選択を受け付けると、ＣＰＵ１０１はＩ／Ｏコントローラ１１０に対して隠し絵を描くために、操作パネル１１１に図２７の描画ウィンドウ１２１を表示するように指示する（ステップＳ４０１）。ユーザは操作パネル１１１上で画像を作成する際に、ペンマークアイコン１２２を選択すると、操作パネル１１１上に１１段階の濃度パターン１２６が表示される。濃度パターン１２６からユーザは、潜像を鉛筆で擦った後の顕在化された画像の濃度を選択することができる。濃度を選択後、画像を作成し、ＯＫボタン１２４を押すことにより、潜像画像データ２６０が記憶部２３２に入力される（ステップＳ４０２）。例えば、記憶部２３２に記憶されるデータは１画素ごとの濃度でも良いし、若しくは１画素ごとに設定されている濃度識別子でも良い。本実施形態では一例として、図２６の領域Ｆ１を構成する画素は濃度「２３」、領域Ｆ２を構成する画素は濃度「６９」、領域Ｆ３を構成する画素は濃度「１１５」、領域Ｆ４を構成する画素は濃度「１６１」、領域Ｆ５を構成する画素は濃度「２５３」として記憶されているものとする。
【０１０３】
＜画像形成条件の抽出（ステップＳ４０３）＞
次に画像形成条件抽出部２３１がステップＳ４０２で記憶部２３２に記憶された図２６
の潜像画像データ２６０の各領域の濃度から、明度差最小条件テーブル２３２ａを参照して画像形成条件を抽出する。領域Ｆ１では濃度「２３」であるので、透明トナー網点面積率２０％、Ｋトナー網点面積率７％の画像形成条件が抽出される。領域Ｆ２では濃度「６９」であるので、透明トナー網点面積率１６％、Ｋトナー網点面積率８％の画像形成条件が抽出される。領域Ｆ３では濃度「１１５」であるので、透明トナー網点面積率１２％、Ｋトナー網点面積率９％の画像形成条件が抽出される。領域Ｆ４では濃度「１６１」であるので、透明トナー網点面積率８％、Ｋトナー網点面積率１０％の画像形成条件が抽出される。領域Ｆ５では濃度「２５３」であるので、透明トナー網点面積率０％、Ｋトナー網点面積率１２％の画像形成条件がそれぞれ抽出される。抽出された画像形成条件は、ＣＰＵ１０１がプリンタコントローラ１０８を介して画像形成部７０４へ信号を送る。
【０１０４】
＜画像形成処理（ステップＳ４０４）＞
ステップＳ４０４では、抽出した画像形成条件に基づき、印刷媒体に画像を形成する。
第一の領域ではステップＳ４０３で画像形成条件抽出部２３１が抽出した画像形成条件で
トナー画像を形成する。ＣＰＵがプリンタコントローラ１０８を制御して、領域Ｆ１、Ｆ２、Ｆ３、Ｆ４、Ｆ５の画像形成では、それぞれに対応する網点面積率で作像を行うように画像ステーションＴ、画像ステーションＫへ画像信号を送る。第二の領域では、画像ステーションＴで網点面積率１００％となるように作像を行うように画像信号を送る。画像ステーションＫ、画像ステーションＴは画像信号に基づき、一様に帯電された感光体ドラム１Ｋ、１Ｔの表面に、静電像を形成する。そして現像器３Ｋ、３Ｔによって感光体ドラム１Ｋ、１Ｔに静電像が現像されてトナー像が形成され、転写部によりＰＯＤグロスコート紙に前記トナー像が転写され、定着器２０１を通過することでトナー像がＰＯＤグロスコート紙に定着される。そして潜像が形成されたＰＯＤグロスコート紙が出力される。
【０１０５】
＜＜本実施形態の効果＞＞
ユーザが選択した濃度に応じて、透明トナー画像の網点面積率を制御しているため、潜像を鉛筆で擦ったときに濃淡が浮かび上がるトナー画像を印刷媒体に形成することができる。さらに、第一の領域にもＫ色トナーを付着させることにより、第二の領域に形成するトナー画像との明度の差を小さくし、潜像効果を高めることができる。
【符号の説明】
【０１０６】
３０１  画素
３０２  微画素
４０２  網点
５０１  潜像画像データ
５０２  潜像
７０１  画像入力部（画像入力手段の一例）
７０２  印刷媒体特定部（印刷媒体特定手段の一例）
７０３  第一の実施形態の画像形成条件決定部（画像形成条件決定手段の一例）
７０４  画像形成部（画像形成手段の一例）
７０５  第一の実施形態の記憶部
８０１  印刷媒体ＡのカラーテーブルＢ（第一の記憶手段の一例）
８０２  印刷媒体ＢのカラーテーブルＢ（第一の記憶手段の一例）
８０３  印刷媒体ＣのカラーテーブルＢ（第一の記憶手段の一例）
８０４  カラーテーブルＡ
１５１  第二の実施形態の画像形成条件抽出部（画像形成条件抽出手段の一例）
１５２  第二の実施形態の画像形成条件記憶部（画像形成条件記憶手段の一例）
１７１  色入力部（色入力手段の一例）
１７２  抽出部
１７３  第三の実施形態の画像形成条件決定部（画像形成条件決定手段の一例）
１７４  第三の実施形態の記憶部
１８１  シアン色のカラーテーブルＤ（第二の記憶手段の一例）
１８２  マゼンタ色のカラーテーブルＤ（第二の記憶手段の一例）
１８３  イエロー色のカラーテーブルＤ（第二の記憶手段の一例）
１８４  Ｋ色のカラーテーブルＤ（第二の記憶手段の一例）
２３１  第四の実施形態の画像形成条件抽出部（画像形成条件抽出手段の一例）
２３２  第四の実施形態の記憶部（画像形成条件抽出記憶の一例）
２６０  濃淡を有する潜像画像データ
【先行技術文献】
【特許文献】
【０１０７】
【特許文献１】特開２００４−６１８１５号公報
【図１】
2012189975.tif 000006
【図２】
2012189975.tif 000007
【図３】
2012189975.tif 000008
【図４】
2012189975.tif 000009
【図５】
2012189975.tif 000010
【図６】
2012189975.tif 000011
【図７】
2012189975.tif 000012
【図８】
2012189975.tif 000013
【図９】
2012189975.tif 000014
【図１０】
2012189975.tif 000015
【図１１】
2012189975.tif 000016
【図１２】
2012189975.tif 000017
【図１３】
2012189975.tif 000018
【図１４】
2012189975.tif 000019
【図１５】
2012189975.tif 000020
【図１６】
2012189975.tif 000021
【図１７】
2012189975.tif 000022
【図１８】
2012189975.tif 000023
【図１９】
2012189975.tif 000024
【図２０】
2012189975.tif 000025
【図２１】
2012189975.tif 000026
【図２２】
2012189975.tif 000027
【図２３】
2012189975.tif 000028
【図２４】
2012189975.tif 000029
【図２５】
2012189975.tif 000030
【図２６】
2012189975.tif 000031
【図２７】
2012189975.tif 000032